(57)【要約】  本発明は、室内ＲＦ中継器のリンクアンテナ設置位置選定方法、ケーブル装置及び端末機に関する。この方法では、リンクアンテナを設置する領域内でリンクアンテナの指向性を用いて最大Ｅｃ/Ｉｏが測定される位置を選定する。この選定された位置にリンクアンテナが設置される。リンクアンテナが指向する対象方向の中でリンクアンテナの指向性を用いて測定されたＥｃ/Ｉｏが最大となる方向を指向方向に固定する。この時、リンクアンテナの指向性を用いたＥｃ/Ｉｏ測定はリンクアンテナに接続ケーブルを介して接続された移動通信局によって行われる。したがって、リンクアンテナを最適な位置及び最適な方向に設置することができる。また、これによりビル内でのＥｃ/Ｉｏが大幅に改善される。
2009505482.tif 000002
【特許請求の範囲】
【請求項１】
室内ＲＦ中継器のリンクアンテナに接続される端末機で前記リンクアンテナの設置位置を選定する、室内ＲＦ中継器のリンクアンテナ設置位置選定方法であって、
ａ）前記リンクアンテナを設置する対象領域内の所定位置で前記リンクアンテナの指向性を用いて通信状態値を測定する段階と、
ｂ）前記対象領域内の他の位置に対して前記ａ）段階の測定を繰り返して測定された前記通信状態値と既に測定された通信状態値とを比較する段階と、
ｃ）前記通信状態値が最大となる位置を前記リンクアンテナを設置する位置に選定する段階とを有することを特徴とする室内ＲＦ中継器のリンクアンテナ設置位置選定方法。
【請求項２】
室内ＲＦ中継器のリンクアンテナに接続される端末機で前記リンクアンテナの方向を選定する、室内ＲＦ中継器のリンクアンテナ方向選定方法であって、
ａ）前記リンクアンテナが指向する対象方向内における所定方向で前記リンクアンテナの指向性を用いて通信状態値を測定する段階と、
ｂ）前記対象方向内の他の方向に対して前記ａ）段階の測定を繰り返して測定された通信状態値と既に測定された通信状態値とを比較する段階と、
ｃ）前記通信状態値が最大となる方向を前記リンクアンテナが指向する方向に選定する段階とを有することを特徴とする室内ＲＦ中継器のリンクアンテナ方向選定方法。
【請求項３】
前記ａ）段階における前記リンクアンテナの指向性を用いた通信状態値測定は、前記リンクアンテナに所定の接続ケーブルを介して接続された端末機によって行われることを特徴とする請求項１又は２記載の室内ＲＦ中継器のリンクアンテナ設置位置選定方法。
【請求項４】
前記通信状態値測定が行われる端末機は前記リンクアンテナを介して移動通信トラフィックを発生することを特徴とする請求項１又は２記載の室内ＲＦ中継器のリンクアンテナ設置位置選定方法。
【請求項５】
前記通信状態値は、前記端末機で測定されたＥｃ/Ｉｏ（Energy per Chip over Interface noise）、Ｔｘ_ｐｗｒ（Transmission Power）及びＴｘ_ａｄｊ（Transmission Adjust）のうちのいずれかであることを特徴とする請求項３記載の室内ＲＦ中継器のリンクアンテナ設置位置選定方法。
【請求項６】
所定の接続ケーブルが前記リンクアンテナの伝送部に接続され、前記伝送部は、ビル内で移動通信サービスを提供するリモートユニットにＲＦ信号を送信するための同軸ケーブルを前記リンクアンテナと接続することを特徴とする請求項３記載の室内ＲＦ中継器のリンクアンテナ設置位置選定方法。
【請求項７】
前記所定の接続ケーブルは、前記端末機とのＲＦ送受信を可能にするＲＦポートに接続されることを特徴とする請求項６記載の室内ＲＦ中継器のリンクアンテナ設置位置選定方法。
【請求項８】
前記所定の接続ケーブルは前記リンクアンテナと前記端末機の間のＲＦ信号送信を可能にするＲＦケーブルであることを特徴とする請求項３記載の室内ＲＦ中継器のリンクアンテナ設置位置選定方法。
【請求項９】
前記ｃ）段階の後に、
ｄ）前記ｃ）段階で選定された位置に設置されたリンクアンテナが指向する対象方向内における所定方向で前記リンクアンテナの指向性を用いて通信状態値を測定する段階と、
ｅ）前記対象方向内の他の方向に対して前記ｄ）段階の測定を繰り返して測定された通信状態値と既に測定された通信状態値とが比較される段階と、
ｆ）前記対象方向において通信状態値が最大となる方向を前記室内ＲＦ中継器のリンクアンテナが指向する方向に選定する段階とを更に有することを特徴とする請求項１記載の室内ＲＦ中継器のリンクアンテナ設置位置選定方法。
【請求項１０】
前記リンクアンテナは、八木アンテナ、パッチアンテナ、セクタ型アンテナ及び皿形アンテナのうちのいずれかであることを特徴とする請求項３記載の室内ＲＦ中継器のリンクアンテナ設置位置選定方法。
【請求項１１】
室内ＲＦ中継器のリンクアンテナの伝送部に接続可能なＮ-タイプコネクタと、
前記リンクアンテナを介して移動通信トラフィックを発生させる端末機とのＲＦ送受信を可能にするＲＦポートに接続可能なＲＦジャックと、
前記Ｎ-タイプコネクタと前記ＲＦジャックの間に接続されるＲＦケーブルとを備え、
前記端末機は、前記リンクアンテナの指向性を用いて通信状態値の測定を可能にするために前記リンクアンテナと前記端末機の間にＲＦ信号を送信することを特徴とするケーブル装置。
【請求項１２】
前記ＲＦケーブルのうちの前記Ｎ-タイプコネクタと前記ＲＦジャックに接続する部分を保護するための保護チューブを更に備えることを特徴とする請求項１１記載のケーブル装置。
【請求項１３】
前記保護チューブは前記ＲＦケーブルの熱収縮を防止するための熱収縮チューブであることを特徴とする請求項１２記載のケーブル装置。
【請求項１４】
前記通信状態値は、前記端末機で測定されたＥｃ/Ｉｏ（Energy per Chip over Interface noise）、Ｔｘ_ｐｗｒ（Transmission Power）及びＴｘ_ａｄｊ（Transmission Adjust）のうちのいずれかであることを特徴とする請求項１１乃至１３のいずれか１項に記載のケーブル装置。
【請求項１５】
室内ＲＦ中継器のリンクアンテナの設置位置を選定するために使用される端末機において、
前記リンクアンテナの設置位置を選定するための使用者の命令を受けて送信するキーパッドと、
前記端末機の状態や性能を示す通信状態値を表示するディスプレイ部と、
前記リンクアンテナと前記端末機の間で無線信号送信が可能となるように前記リンクアンテナとの接続が可能なリンクアンテナ接続部と、
前記リンクアンテナ接続部を介して前記リンクアンテナとの無線信号送受信を行う無線送受信手段と、
前記キーパッドを介して使用者の命令が入力されるときに、前記無線送受信手段と前記リンクアンテナ接続部を介して接続された前記リンクアンテナを介して前記端末機の通信状態値を測定する制御部とを備えることを特徴とする端末機。
【請求項１６】
前記制御部は、非スロットモードで測定される通信状態値を測定し、前記通信状態値を前記ディスプレイ部を介して表示して前記リンクアンテナを設置する位置及び方向を初期選定することを特徴とする請求項１５記載の端末機。
【請求項１７】
前記制御部は、トラフィック状態で測定される通信状態値を測定し、前記通信状態値を前記ディスプレイ部を介して表示して前記リンクアンテナを設置する位置及び方向を確定することを特徴とする請求項１６記載の端末機。
【請求項１８】
前記確定されるリンクアンテナを設置する位置及び方向は、前記初期選定された位置及び方向の中から選定されることを特徴とする請求項１７記載の端末機。
【請求項１９】
前記キーパッドは、前記初期選定のための通信状態値測定命令を受けるためのスキャンモードキーと、前記確定のための通信状態値測定命令の入力を受けるための確定モードキーとを有することを特徴とする請求項１７記載の端末機。
【請求項２０】
前記制御部は、前記端末機の状態を複数の状態に区分し、測定される通信状態値に応じて前記複数の状態に対応する状態に変換して、前記変換された状態を前記ディスプレイ部に表示することを特徴とする請求項１５記載の端末機。
【請求項２１】
前記無線送受信手段は無線通信を行う複数の無線送受信部を有し、前記キーパッドを通じた使用者の入力に応じて前記制御部によって前記複数の無線送受信手段のうちのいずれかが選択されることを特徴とする請求項１５記載の端末機。
【発明の詳細な説明】
【技術分野】
【０００１】
本発明は室内ＲＦ中継器のリンクアンテナに関し、具体的には、室内ＲＦ中継器のリンクアンテナの設置位置を選定する方法、この時に使用されるケーブル装置及び端末機に関するものである。
【背景技術】
【０００２】
一般に、移動通信システムにおける基地局で発生する電波は大型ビルの内部、山や丘の後方、トンネルや地下鉄などの地域まで到達することが困難であるため、このような地域は移動通信不通地域になる可能性がある。したがって、基地局の位置や地形などの問題でブランケット・エリアが存在する。このようなブランケット・エリアを解消するための方案として、微弱な電波によってブランケット・エリアをカバーすることができる安価な中継器が現在使用されている。特に、室内ＲＦ中継器はビル内でのブランケット・エリアを解消するためのもので、添付した図１に示されているように、ドナーユニット５をビル３の外部、特に屋上などに設置し、このドナーユニット５に同軸ケーブル７を介して接続されたリモートユニット９をビル３内に設けて、ビル内でも移動通信サービスを提供することが可能となる。この時、ドナーユニット５が基地局１から又は基地局１へ電波信号を送受信することによってドナーユニット５とリモートユニット９が室内ＲＦ中継器を形成する。
【０００３】
ここで、室内ＲＦ中継器において、基地局１側とのＲＦ信号の送受信を可能にするＲＦアンテナはリンクアンテナと呼ばれ、一般的に八木アンテナが使用されている。この八木アンテナは、日本人である八木と宇田が共同で発明したアンテナで、最近最も多く使用されている指向性ビームアンテナである。このように、室内ＲＦ中継器で使用されるリンクアンテナが指向性を有するアンテナであるので、リンクアンテナの方向は移動通信サービスの効率に直接的に作用する重要な役割を占める。なお、リンクアンテナとしては、八木アンテナだけでなくパッチアンテナ、セクタ型アンテナ及び皿形アンテナを使用することができる。
【０００４】
一方、一般の移動通信端末機は、受信信号強度表示（ＲＳＳＩ）及びチップ当たりの電力とインターフェイスノイズとの比を示すＥｃ/Ｉｏ（Energy per Chip over Interface noise）を含む多様な端末機状態を使用者が特定モードで分かるように表示する。
【０００５】
したがって、従来室内ＲＦ中継器を設置する場合、設置者はビルの屋上にリンクアンテナを設けるための位置を決定する時に前記端末機上に表示されるＥｃ/Ｉｏ情報を利用することができる。
【０００６】
すなわち、リンクアンテナの設置者は、ビルの屋上で、移動通信サービスを提供することが可能な端末機上に表示されるＲＳＳＩやＥｃ/Ｉｏなどの情報を見ながらリンクアンテナを設ける位置を選定する。
【０００７】
設置者はリンクアンテナを設置し、ビル内に設けられたリモートユニット９に接続された同軸ケーブル７を給送ケーブルに接続し、その後室内ＲＦ中継器を設置する。
【０００８】
次に、ビル内の他の設置者は、リモートユニット９を介して移動通信サービスを受けるための端末機上に表示されるＥｃ/Ｉｏを確認しながら、ビル外部の設置者と通話してリンクアンテナの最適な方向を選定する。
【０００９】
上記のようなプロセスは、従来技術において室内ＲＦ中継器のリンクアンテナを設置する最適の方法であった。
【発明の開示】
【発明が解決しようとする課題】
【００１０】
しかしながら、リンクアンテナが設置されるビルの外部、すなわち、屋上には複数のセクタ（すなわち、擬似ノイズ（Psuedo Noise（ＰＮ）））から送信される信号群が存在するので、リンクアンテナを選定するための位置を選定する時に全方向性アンテナを備える移動通信端末機で測定された情報（すなわち、Ｅｃ/Ｉｏ）を用いて最適な位置を選定することができないという問題がある。すなわち、リンクアンテナのＲＦパターンとは異なる全方向性アンテナを備える一般移動通信端末機を使用して位置が選定されるために、このような問題が生じる。
【００１１】
また、最適ではない位置にリンクアンテナを設置した後又は偶然に最適な位置にリンクアンテナを設置した後に、ビル内部の他の設置者と通話することにより手作業でリンクアンテナの方向を選定しなければならないため、リンクアンテナの設置を完了するのに相当な時間がかかるだけでなく、少なくとも２人の設置者が必要であるためにリンクアンテナの設置費用やメンテナンス費用が増大するという問題が生じる。
【００１２】
尚、本背景技術で開示された上記情報は本発明の背景技術の理解を促すのみであり、当業者によって知られた公知技術を形成しない情報を含み得る。
【００１３】
本発明は、ビルの最適の位置及びその位置において最適の方向でリンクアンテナを設置するのに有利な室内ＲＦ中継器のリンクアンテナ設置位置選定方法を提供する。
【００１４】
また、本発明は、ビルの最適の位置及びその位置において最適の方向でリンクアンテナを設置するのに使用されるケーブル装置を提供する。
【００１５】
また、本発明は、リンクアンテナを設置するのに使用される端末機を提供する。
【課題を解決するための手段】
【００１６】
本発明の一態様において、室内ＲＦ中継器のリンクアンテナに接続される端末機における前記リンクアンテナの設置位置選定方法は、ａ）前記リンクアンテナを設置する対象領域内の所定位置で前記リンクアンテナの指向性を用いて通信状態値を測定する段階と、ｂ）前記対象領域内の他の位置に対して前記ａ）段階の測定を繰り返して測定された前記通信状態値と既に測定された通信状態値とを比較する段階と、ｃ）前記通信状態値が最大となる位置を前記リンクアンテナが設置される位置に選定する段階とを有することを特徴とする。
【００１７】
本発明の他の態様において、リンクアンテナに接続される端末機で室内ＲＦ中継器のリンクアンテナの方向を選定する方法は、室内ＲＦ中継器のリンクアンテナに接続される端末機で前記リンクアンテナの指向方向を選定する方法であって、ａ）前記リンクアンテナが指向する対象方向内における所定方向で前記リンクアンテナの指向性を用いて通信状態値を測定する段階と、ｂ）前記対象方向内の他の方向に対して前記ａ）段階の測定を繰り返して測定された通信状態値と既に測定された通信状態値とを比較する段階と、ｃ）前記通信状態値が最大となる方向を前記リンクアンテナが指向する方向に選定する段階とを有することを特徴とする。
【００１８】
また、前記ａ）段階における前記リンクアンテナの指向性を用いた通信状態値測定は、前記リンクアンテナに所定の接続ケーブルを介して接続された端末機によって行われることを特徴とする。
【００１９】
本発明の他の態様において、ケーブル装置は、室内ＲＦ中継器のリンクアンテナの伝送部に接続可能なＮ-タイプコネクタと、前記リンクアンテナを介して移動通信トラフィックを発生させる端末機とのＲＦ送受信を可能にするＲＦポートに接続可能なＲＦジャックと、前記Ｎ-タイプコネクタと前記ＲＦジャックの間に接続されるＲＦケーブルとを備え、前記端末機は、前記リンクアンテナの指向性を用いて通信状態値の測定を可能とするために前記リンクアンテナと前記端末機の間にＲＦ信号を送信することを特徴とする。
【００２０】
本発明の他の態様において、室内ＲＦ中継器のリンクアンテナの設置位置を選定するために使用される端末機において、前記リンクアンテナの設置位置を選定するための使用者の命令を受けて送信するキーパッドと、前記端末機の状態や性能を示す通信状態値を表示するディスプレイ部と、前記リンクアンテナと前記端末機の間で無線信号送信が可能となるように前記リンクアンテナとの接続が可能なリンクアンテナ接続部と、前記リンクアンテナ接続部を介して前記リンクアンテナとの無線信号送受信を行う無線送受信部と、前記キーパッドを介して使用者の命令が入力されるときに、前記無線送受信部と前記リンクアンテナ接続部を介して接続された前記リンクアンテナを介して前記端末機の通信状態値を測定する制御部を含む。
【発明を実施するための最良の形態】
【００２１】
以下、添付した図面を参照しながら本発明の実施の形態を詳細に説明する。しかし、本発明は、当業者が実施する場合に本発明の思想や技術的範囲を逸脱しない限り様々な手段で変更することが可能である。本発明の実施の形態を明確にするために、本発明の説明上不必要な部分は省略し、同一の部分については同一図面符号を付す。
【００２２】
多くの基地局で発生した複数の信号は、ビルの外部、すなわち屋上に同時に到達するため、図２に示すようなマルチＰＮ流入によってＰＮ汚染（Pollution）地域に該当する。
【００２３】
全方向性アンテナを備える端末機によって測定されるＥｃ/Ｉｏは周辺のセクタによる影響が大きいので、周辺セクタによる影響が部分的に遮断される指向性リンクアンテナを使用してＥｃ/Ｉｏを測定するためには別途の測定方法が必要とされる。
【００２４】
したがって、本願発明では、図３に示す装置を用いてリンクアンテナを設置する位置を選定する。ここで、リンクアンテナを設置する位置を選定することには、対象領域の中でリンクアンテナを設置する特定位置を選定することと、該特定位置にリンクアンテナを設置した後にリンクアンテナが指向する特定方向を選定することが含まれる。
【００２５】
図３は、本発明の実施の形態における室内ＲＦ中継器のリンクアンテナの設置位置を選定するのに使用される装置を示す図である。
【００２６】
図３に示すように、本発明の実施の形態における室内ＲＦ中継器のリンクアンテナの設置位置を選定するのに使用される装置は、リンクアンテナ１００、移動通信局２００及び接続ケーブル３００を備える。
【００２７】
リンクアンテナ１００は室内ＲＦ中継器の一部であり、ビルの外部、例えば屋上などに設置されるアンテナである。リンクアンテナ１００は、ビル内部のリモートユニット（図示せず）と同軸ケーブルを介して接続される伝送部１１０を有する。
【００２８】
移動通信局２００は、Ｅｃ/Ｉｏ及びＲＳＳＩを測定して表示するものであり、所定の装置とのＲＦ信号通信のためのＲＦポート２１０を有する。
【００２９】
接続ケーブル３００は、リンクアンテナ１００の伝送部１１０及び移動通信局２００のＲＦポート２１０に接続されており、リンクアンテナ１００が移動通信局２００の信号送受信アンテナとして動作するようにＲＦ信号伝送路として機能する。
【００３０】
リンクアンテナ１００としては八木アンテナが使用され、図４は八木アンテナ１００と移動通信局２００を接続ケーブル３００で接続して本発明の実施の形態における室内ＲＦ中継器のリンクアンテナの設置位置を選定する実例を示す。尚、リンクアンテナ１００としてパッチアンテナ、セクタ型アンテナ及び皿形アンテナを含む様々なアンテナを使用することができる。
【００３１】
ここで、八木アンテナは一般的な八木アンテナであってもよく、八木アンテナの後方からの他のＰＮの妨害を防止するための反射板と、八木アンテナを上下方向のみならず左右方向にも制御するチルト機能とを更に有するものであってもよい。
【００３２】
接続ケーブル３００は、図５に示すように、リンクアンテナ１００の伝送部１１０に接続されるＮ-タイプコネクタ３１０と、移動通信局２００のＲＦポート２１０に接続されるＲＦジャック３２０と、Ｎ-タイプコネクタ３１０とＲＦジャック３２０との間に接続されてリンクアンテナ１００と移動通信局２００との間にＲＦ信号を送信するＲＦケーブル３３０と、ＲＦケーブル３３０のうちのＮ-タイプコネクタ３１０及びＲＦジャック３２０にそれぞれ接続される部分を保護するための保護チューブ３４０，３５０を有する。
【００３３】
ここで、保護チューブ３４０，３５０としては、ＲＦケーブル３３０の熱収縮によって発生する問題を防止するための熱収縮チューブが使用される。
【００３４】
また、保護チューブ３４０，３５０の長さは約２±０．２ｃｍであるのが好ましく、ＲＦケーブル３３０の長さは約７０ｃｍ程度であるのが好ましい。
【００３５】
以下、図６及び図７を参照して、本発明の実施の形態における室内ＲＦ中継器のリンクアンテナを設置するための位置及び方向を選定する方法について説明する。
【００３６】
まず、図６を参照して、室内ＲＦ中継器のリンクアンテナを設置するための位置を選定する方法について説明する。
【００３７】
リンクアンテナ１００を設置するための最適な位置を検出するべく、図３に示すように測定装置が組み立てられて準備される（Ｓ１００）。すなわち、リンクアンテナ１００の伝送部１１０に接続ケーブル３００のＮ-タイプコネクタ３１０が接続され、測定装置を制御するべく移動通信局２００のＲＦポート２１０に接続ケーブル３００のＲＦジャック３２０が接続されて、プロセスの準備が行われる。
【００３８】
次に、リンクアンテナ１００が設置される対象領域、例えばビルの屋上などの１つの場所で上記Ｓ１００で準備された測定装置が使用され、当該場所でのＥｃ/Ｉｏが測定される（Ｓ１１０）。この時、Ｅｃ/Ｉｏはリンクアンテナ１００に接続された移動通信局２００によって測定され、このＥｃ/Ｉｏは指向性アンテナであるリンクアンテナ１００を介して測定されるので、従来の全方向性アンテナを介して測定されたＥｃ/Ｉｏとは異なり、測定されるＥｃ/Ｉｏの精度が非常に高くなる。
【００３９】
次に、測定されたＥｃ/Ｉｏが最適のＥｃ/Ｉｏになるまで設置対象領域の所々に移動通信局を移動しながら、Ｅｃ/Ｉｏを継続して測定する（Ｓ１２０，Ｓ１３０）。ここで、最適のＥｃ/Ｉｏとは、測定されたＥｃ/Ｉｏ値が最大値を有することを意味する。
【００４０】
もし、測定されたＥｃ/Ｉｏが多様な場所で測定されたものの中で最適のＥｃ/Ｉｏである場合には、当該場所がリンクアンテナ１００を設置する位置に選定されて（Ｓ１４０）、当該位置にリンクアンテナが設置される（Ｓ１５０）。
【００４１】
このように、本発明の実施の形態における室内ＲＦ中継器の設置位置選定方法によると、リンクアンテナ１００を介して測定されるＥｃ/Ｉｏが使用されてその設置位置が選定されるので、最適な効率を得ることができる。
【００４２】
次に、図７を参照して、室内ＲＦ中継器のリンクアンテナが指向する方向を選定する方法について説明する。
【００４３】
前記過程を経て最適な位置に設置されたリンクアンテナ１００が指向する最適な方向を探すために、図３に示すように測定装置が組み立てられて準備される（Ｓ２００）。すなわち、リンクアンテナ１００の伝送部１１０に接続ケーブル３００のＮ-タイプコネクタ３１０が接続され、移動通信局２００のＲＦポート２１０に接続ケーブル３００のＲＦジャック３２０が接続される。
【００４４】
次に、リンクアンテナ１００が設置された状態で、所定方向Ｓ１００における測定装置が使用されて当該方向でのＥｃ/Ｉｏが測定される（Ｓ２１０）。この時、Ｅｃ/Ｉｏはリンクアンテナ１００に接続された移動通信局２００によって測定され、測定されるＥｃ/Ｉｏは指向性であるリンクアンテナ１００を介して測定されるので、従来全方向性アンテナを介して測定されたＥｃ/Ｉｏとは異なり、測定されるＥｃ/Ｉｏの精度が非常に高くなる。
【００４５】
次に、測定されたＥｃ/Ｉｏが最適のＥｃ/Ｉｏになるまで、設置されたリンクアンテナ１００が指向する方向を水平又は垂直に移動しながらＥｃ/Ｉｏが連続的に測定される（Ｓ２２０，Ｓ２３０）。
【００４６】
測定されたＥｃ/Ｉｏが、多数の方向で測定されたものの中で最適なＥｃ/Ｉｏである場合には、当該方向がリンクアンテナ１００が指向する方向に選定され（Ｓ２４０）、リンクアンテナ１００が当該方向に固定して設置される（Ｓ２５０）。ここで、最適のＥｃ/Ｉｏとは、測定されたＥｃ/Ｉｏ値が最大値を有することを示す。
【００４７】
このように、室内ＲＦ中継器の指向方向選定方法によると、実際に使用されるリンクアンテナ１００を介して測定されるＥｃ/Ｉｏが使用され、その指向方向が選定されることで最適の効率を得ることができる。
【００４８】
上記において、図６及び図７を参照して室内ＲＦ中継器のリンクアンテナ１００の設置位置及び方向を選定するプロセスを説明したが、これらのプロセスを個別に行う以外に、連続的に行うこともできる。すなわち、図６にしたがってリンクアンテナ１００を設置する最適な位置が選定されて当該リンクアンテナ１００が設置される間、リンクアンテナ１００に接続ケーブル３００を介して接続された移動通信局２００を継続して接続し、リンクアンテナ１００が設置された後に図７に示すＳ２１０から開始してリンクアンテナ１００が指向する最適な方向が選定されるプロセスを行ってもよい。
【００４９】
このように、本発明の実施の形態に係る室内ＲＦ中継器のリンクアンテナ１００の設置位置及び指向方向を選定する方法によると、リンクアンテナ１００を介して測定されるＥｃ/Ｉｏが使用されてリンクアンテナ１００を設置する最適な位置とその位置でリンクアンテナ１００が指向されるべき最適な方向とが選定されることによって、リンクアンテナ１００を介して送受信される基地局とのＲＦ信号が最適な状態で伝達され、該信号がビル内の使用者の移動通信端末機に対してビル内のリモートユニットを介して移動通信サービスが提供されることで最適なサービスを提供することができる。
【００５０】
以下、本発明の実施の形態に係る室内ＲＦ中継器のリンクアンテナ設置位置及び方向選定方法によって実際の地域でリンクアンテナを設置して測定した結果について説明する。
【００５１】
実際の測定では、ソウル市江南区にある１０箇所に室内ＲＦ中継器のリンクアンテナの設置位置及び方向を選定してリンクアンテナを設置し、本発明の実施の形態によってビル内で移動通信端末機を介して実データを測定した（改善後測定）。なお、各１０箇所で本発明の実施の形態によってリンクアンテナを設置する前に、既に設置された従来のリンクアンテナによって移動通信端末機を介してサービスされる以前のデータも実際に測定した（改善前測定）。
【００５２】
図８及び図９は、１０箇所のうちの１つである江南センタービルで周辺の使用者が最も少ない時間帯に関する測定結果を示すグラフであり、図８は改善前の測定結果グラフ、図９は改善後の測定結果グラフである。
【００５３】
図８及び図９の結果から分かるように、測定場所での改善前のＥｃ/Ｉｏは約-８．８ｄＢであったが、同一場所での改善後のＥｃ/Ｉｏは約-３．８ｄＢであり、Ｅｃ/Ｉｏが５ｄＢ程度改善された。すなわち、使用者への移動通信サービスの質が向上したことが分かった。
【００５４】
図１０及び図１１は、図８及び図９と同一場所である江南センタービルで全時間帯に関する実測定の結果を示すグラフであり、図１０は改善前の測定結果グラフ、図１１は改善後の測定結果グラフである。
【００５５】
図１０及び図１１の結果から分かるように、測定場所での改善前のＥｃ/Ｉｏは約-９．９ｄＢであったが、同一場所での改善後のＥｃ/Ｉｏは約-５．１ｄＢであり、Ｅｃ/Ｉｏが４．８ｄＢ改善された。すなわち、使用者への移動通信サービスの質が向上し、また最閑時に比べても相対的に更に向上したことが分かった。
【００５６】
図１２は、本発明の実施の形態によって測定が行われた１０箇所での最閑時及び全時間帯に関する改善前の測定データと改善後の測定データとの比較結果を示す図である。
【００５７】
図１２から分かるように、この改善によって最閑時に関して最小２．５ｄＢから最大４．９ｄＢまでの範囲となり、本発明の実施の形態によって大きな効果が得られた。
【００５８】
また、図１２から分かるように、この改善によって全時間帯に関して最小１．７ｄＢから最大５．４ｄＢまでの範囲となり、同様にその効果が顕著であった。
【００５９】
上記では接続ケーブル３００を介してリンクアンテナ１００に接続された移動通信局２００を使用して測定されるＥｃ/Ｉｏを用いて最適な位置及び方向を選定することを説明したが、本発明の技術的範囲はこれに限られない。例えば、移動通信局２００では、Ｅｃ/Ｉｏだけでなく移動通信局２００の送信電力を示すＴｘ_ｐｗｒ（Transmission Power）や移動通信局２００の送信調節値を示すＴｘ_ａｄｊ（Transmission Adjust）も測定可能であり、このように測定されたＴｘ_ｐｗｒやＴｘ_ａｄｊが最適である値を有する位置や方向でも本発明の実施の形態による効果が得られる。したがって、接続ケーブル３００を介してリンクアンテナ１００に接続された移動通信局２００を用いて測定されるＥｃ/Ｉｏ、Ｔｘ_ｐｗｒ及びＴｘ_ａｊｓ、すなわち、移動通信局２００の状態又は性能を示す最適な値を有する位置と方向を用いて、リンクアンテナ１００の設置位置と方向を選定することができる。
【００６０】
また、前記ではリンクアンテナ１００に接続ケーブル３００を介して接続された移動通信局２００を用いてＥｃ/Ｉｏを測定することを説明したが、これに限定されず、クアルコムチップ、エリックソンチップ、サイリクスチップを有する端末機にも本発明が適用可能であることは当業者が容易に理解し得る。
【００６１】
したがって、移動通信局２００を用いてリンクアンテナ１００を設置する以外に、上記のモデムチップが搭載されている専用端末機を用いてリンクアンテナ１００を設置する位置を選定することができる。
【００６２】
以下、一般的な移動通信局２００とは異なる、本発明の実施の形態に係るリンクアンテナを設置する位置を選定する方法で用いられる専用端末機について説明する。
【００６３】
本発明の実施の形態に係る専用端末機は、リンクアンテナの設置位置を選定するように特定地点で専用端末機の状態又は性能を示す値を測定して表示するための機能を備えればよいので、移動通信局２００での構成に比べて簡素化できる。すなわち、移動通信局２００で使用されるマルチメディア機能、カメラ機能、ＭＰ３機能などの付加サービス機能が必要でなくなるので、上記機能のための構成をなくすことができる。
【００６４】
図１３は、本発明の実施の形態に係るリンクアンテナ設置位置を選定するための専用端末機４００を示すブロック図である。
【００６５】
図１３に示すように、本発明の実施の形態に係る専用端末機４００は、制御部４１０、専用キーパッド４２０、ディスプレイ４３０、メモリ４４０、リンクアンテナ接続部４５０及び無線送受信部４６０を含む。
【００６６】
まず、制御部４１０は、専用端末機４００が直接又は特定ケーブルを介してリンクアンテナ１００に接続されてリンクアンテナ１００の設置位置を選定するのに使用される各種の状態又は性能を示す値を測定する機能を制御する。
【００６７】
専用キーパッド４２０は使用者の命令を受信して制御部４１０に送信する。この専用キーパッド４２０の構成は移動通信局２００に備えられたキーパッドの構成と異なる。すなわち、専用端末機４００はリンクアンテナ１００の設置位置を選定するのに使用されるため、移動通信局２００とは異なり、音声通話機能、データ通信機能、文字メッセージ送受信機能などの多様な付加機能を必要とせず、専用キーパッド４２０は上記機能を提供するための数字キー、文字キー及び他のキーを有していなくてもよい。
【００６８】
本発明の実施の形態に係る専用キーパッド４２０は、リンクアンテナ１００を介して専用端末機の状態又は性能を示す値を測定するためのキーを有する。例えば、専用端末機４００のキーは、非スロットモードでＥｃ/Ｉｏ、ＲＳＳＩなどを有してリンクアンテナの設置位置と指向方向を初期検索できるようにするためのスキャンモードキーと、トラフィック状態でマルチＰＮ、Ｅｃ/Ｉｏ、Ｔｘ_ａｄｊ及びＲＳＳＩを用いてリンクアンテナの設置位置と方向を詳細に検索できるようにするための確定モードキーとを有する。
【００６９】
ディスプレイ４３０は、制御部４１０の制御によって専用端末機４００の動作を制御するための情報を表示し、また、リンクアンテナ１００の設置位置や方向などを選定するために測定される値を表示する。このようなディスプレイ４３０としては、移動通信局２００に設けられたディスプレイを適用可能である。
【００７０】
メモリ４４０は、制御部４１０が専用端末機４００の動作を制御するためのプログラムを格納し、またリンクアンテナ１００の設置位置や指向性を選定するために測定される値を格納する。
【００７１】
リンクアンテナ接続部４５０は、専用端末機４００がリンクアンテナ１００に接続できるようにケーブルやコネクタを接続する接続手段である。このリンクアンテナ接続部４５０はリンクアンテナ１００の伝送部１１０に直接又はケーブルを介して接続され、好ましくはケーブル介して接続される。
【００７２】
図３を参照すると、移動通信局２００ではリンクアンテナ１００がＲＦポート２１０を介して接続されるが、このようなＲＦポート２１０は移動通信局２００に対するテスト、特に故障によるメンテナンスのためのテストをするために設けられているため、リンクアンテナ１００を設置するために頻繁に使用される場合には摩耗などが激しく長い期間使用できない。したがって、専用端末機４００に具備されるリンクアンテナ接続部４５０は、リンクアンテナ１００との頻繁な接続にも耐えるように堅固なコネクタとして構成されなければならない。このために、本発明の実施の形態ではリンクアンテナ接続部４５０としてＳＭＡコネクタを使用し、例えば、ＳＭＡコネクタとして内部型雌端子を使用する。
【００７３】
無線送受信部４６０は制御部４１０から送信されるデータを移動通信信号に変換してリンクアンテナ接続部４５０を介して送信し、また、リンクアンテナ接続部４５０からの移動通信信号を受信し、該信号を制御部４１０が処理できるデータに変換して制御部４１０に送信する。
【００７４】
一方、専用端末機４００のリンクアンテナ接続部４５０が移動通信局２００のＲＦポート２１０と異なるので、図５を参照して説明した接続ケーブル３００を介して専用端末機４００とリンクアンテナ１００を接続することはできない。したがって、接続ケーブル３００で移動通信局２００のＲＦポート２１０に接続される部分が専用端末機４００のリンクアンテナ接続部４５０に接続されるように変更されなければならない。例えば、リンクアンテナ接続部４５０がＳＭＡ雌端子として形成される場合、接続ケーブル３００の対応する部分が同一規格のＳＭＡ雄端子として形成されると、専用端末機４００とリンクアンテナ１００が容易に接続されることができる。
【００７５】
一方、制御部４１０は、移動通信トラフィックを発生するモデムチップ、例えばクアルコムチップ、エリックソンチップ、サイリクスチップで実現することができる。しかしながら、制御部４１０は専用端末機４００を介してリンクアンテナ１００の位置を選定するのに使用される専用端末機４００の状態や性能などを示す値、例えばＥｃ/Ｉｏ、ＲＳＳＩ、マルチＰＮ、Ｔｘ_ｐｗｒ、Ｔｘ_ａｄｊを測定する機能を有していればよいため、マルチメディア機能、カメラ機能、ＭＰ３機能などの様々な付加サービス機能などを実現する必要がない。したがって、現存するモデムチップから必要でない機能を除去することができる。
【００７６】
図１４は、上記構成を有する専用端末機４００の外部ケースを示す図である。
【００７７】
図１４に示すように、専用端末機４００の外部ケースには、専用キーパッド４２０、ディスプレイ４３０及びリンクアンテナ接続部４５０が外部から確認できるように形成されている。特に、専用キーパッド４２０は上記のようなスキャンモードキー及び確定モードキーを有する。
【００７８】
以下、本発明の実施の形態に係る専用端末機４００を用いてリンクアンテナの設置位置を選定する方法について説明する。
【００７９】
まず、リンクアンテナ１００と専用端末機４００が接続されてリンクアンテナ１００を設置する対象領域内で専用キーパッド４２０のスキャンモードキーが選択されると、初期検索で非スロットモードでＥｃ/Ｉｏを測定して、該測定結果をディスプレイ４３０に表示する。この時、移動通信局２００の場合のように測定値をそのまま表示することができるが、本発明の実施の形態に係る専用端末機４００では、測定値の内容を十分に理解していない使用者であってもリンクアンテナ１００を容易に設置できるように測定値を変換して表示する。例えば、測定されたＥｃ/Ｉｏなどを通じて検出される専用端末機４００の状態を最適状態、良好状態、不良状態などに区分し、実際測定された値に対応する状態に変換して表示する。したがって、専用端末機４００を用いてリンクアンテナ１００の設置位置を選定する使用者は、対象領域内でスキャンモードキーを用いてリンクアンテナ１００を設置する位置を初期に検索することができる。すなわち、使用者はスキャンモードキーを用いて最適状態を表示する位置を初期に検索することができる。
【００８０】
その後、最適状態を表示する各位置でリンクアンテナ１００を設置する最適な位置を確定するために専用キーパッド４２０の確定モードキーが選択されると、トラフィック状態でマルチＰＮ、Ｅｃ/Ｉｏ、Ｔｘ_ａｄｊ及びＲＳＳＩを測定し、その測定値をディスプレイ４３０に表示する。この時、移動通信局２００の場合のように測定値をそのまま表示することができるが、これだけでなく、測定値の内容を十分に理解していない使用者であってもリンクアンテナ１００を容易に設置できるように測定値を変換して表示する。
【００８１】
したがって、専用端末機４００を用いてリンクアンテナ１００の設置位置を選定する使用者は、初期に検索された最適な位置で確定モードキーを用いてリンクアンテナ１００を設置する最適な位置を確定することができる。
【００８２】
専用端末機４００を用いてリンクアンテナ１００の方向を選定する場合にも、上記のようにスキャンモードキーを用いて方向を初期に検索し、確定モードキーを用いて初期に検索された方向の中から最適の方向を確定することができる。
【００８３】
上記では専用端末機４００が１つの通信方式のみを使用してリンクアンテナ１００の設置位置及び方向を選定することを説明したが、本発明はこれに限定されず、専用端末機４００が、多用されている二重モード端末機と同様の構造を有するように構成されてもよい。すなわち、図１５に示すように、専用端末機４００の無線送受信部４６０はデュアルモード無線送受信部４６０をそれぞれ有する。例えば、無線送受信部４６０は、ＣＤＭＡ用無線送受信部４６１と、ＷＣＤＭＡ用無線送受信部４６２とを有する。したがって、設置されるべきリンクアンテナ１００を介してサービスされる通信方法が専用キーパッド４２０を介して選択されるときに、制御部４１０は選択された通信方式に相当する無線送受信部４６０を使用して無線通信を行うことができる。上記の構成は３個以上の通信方式に適用可能であることは本技術分野の当業者が容易に理解し得る。
【００８４】
本発明を実際的で好ましい実施の形態を参照して説明したが、本発明は開示された実施の形態に限定されず、添付した特許請求の範囲や思想に含まれる多様な変形及び等価物に及ぶものとする。
【００８５】
本発明の実施の形態によれば、室内ＲＦ中継器のリンクアンテナを差異的な位置に設置することができる。
【００８６】
また、室内ＲＦ中継器のリンクアンテナを最適な方向に設置することができる。
【００８７】
これにより、ビル内におけるＥｃ/Ｉｏ、室内スループット、ＲＳＳＩ、Ｔｘ_ａｄｊ（Transmission adjust）及びＴｘ_ｐｗｒ（Transmission Power）などが実質的且つ大幅に改善される。このようなＲＳＳＩ改善によって室内ＲＦ中継器の順方向パワーの増加に繋がり、結果的に室内ＲＦ中継器の受信地域が拡大される。また、Ｔｘ_ａｄｊの改善によって逆方向経路が改善され、端末機の少ないパワーで品質を維持することができ、室内ＲＦ中継器の逆方向パワーアンプの出力が小さくなることで逆方向アンプの劣化を最小限にする。
【００８８】
また、周辺からのＰＮ汚染が除去される。
【００８９】
また、ネットワーク無線負荷率におけるＲＦ負荷率が実質的に軽減され、同時にネットワーク有線負荷率における基地局ＬＰＡ、トランシーバー、チャンネルカード及び専用回線の負荷率が実質的に減少する。
【００９０】
したがって、使用者の体感品質が向上し、室内ＲＦ中継器の負荷を軽減することができる。
【００９１】
また、室内ＲＦ中継器を設置するための人件費を含む全費用が減少する。
【図面の簡単な説明】
【００９２】
【図１】一般的な室内ＲＦ中継器を示す設置図である。
【図２】ビル外部でのマルチＰＮによる汚染の一例を示す図面である。
【図３】本発明の実施の形態における室内ＲＦ中継器のリンクアンテナ設置位置及び方向選定方法で使用される装置を示す図である。
【図４】図３に示す装置の実例を示す図である。
【図５】図３に示す接続ケーブルを示す詳細ブロック図である。
【図６】本発明の実施の形態における室内ＲＦ中継器のリンクアンテナの設置位置選定方法を示す図である。
【図７】本発明の実施の形態における室内ＲＦ中継器のリンクアンテナの方向選定方法を示すフローチャートである。
【図８】本発明の実施の形態における特定の１０箇所のうちの１つである江南センタービルで周辺の使用者が最も少ない時間帯に関する改善前の測定結果グラフである。
【図９】本発明の実施の形態における特定の１０箇所のうちの１つである江南センタービルで周辺の使用者が最も少ない時間帯に関する改善後の測定結果グラフである。
【図１０】図８及び図９と同一の江南センタービルで全時間帯に関する改善前の測定結果グラフである。
【図１１】図８及び図９と同一場所の江南センタービルで全時間帯に関する改善後の測定結果グラフである。
【図１２】本発明の実施の形態によって測定が行われた１０箇所での最閑時及び全時間帯に関する改善前の測定データと改善後の測定データとの比較結果を示す図である。
【図１３】本発明の実施の形態におけるリンクアンテナの設置位置を選定するのに使用される専用端末機を示す図である。
【図１４】図１３に示す専用端末機の一例を示す図である。
【図１５】本発明の実施の形態におけるリンクアンテナの設置位置を選定するのに使用される他の専用端末機を示す図である。
【符号の説明】
【００９３】
１００  リンクアンテナ
１１０  伝送部
２００  移動通信局
２１０  ＲＦポート
３００  接続ケーブル
３１０  Ｎ-タイプコネクタ
３２０  ＲＦジャック
【図１】
2009505482.tif 000003
【図２】
2009505482.tif 000004
【図３】
2009505482.tif 000005
【図５】
2009505482.tif 000006
【図６】
2009505482.tif 000007
【図７】
2009505482.tif 000008
【図８】
2009505482.tif 000009
【図９】
2009505482.tif 000010
【図１０】
2009505482.tif 000011
【図１１】
2009505482.tif 000012
【図１２】
2009505482.tif 000013
【図１３】
2009505482.tif 000014
【図１５】
2009505482.tif 000015
【図４】
2009505482.tif 000016
【図１４】
2009505482.tif 000017
【国際調査報告】
2009505482.tif 000018
2009505482.tif 000019